(57)【特許請求の範囲】
【請求項１】
凝縮器(15)および該凝縮器(15)にシュラウド(34)を介して着脱自在に配設されるファンモータ(16)を備える冷却機構(17)が機械室(13)に収容され、前記凝縮器(15)とファンモータ(16)との並び方向と交差する側方に開口する開口部(27)を介してシュラウド(34)と共にファンモータ(16)を機械室(13)に出し入れ可能に構成される冷却機構を備えた装置において、
前記凝縮器(15)における開口部(27)から離間する一側部に設けられてファンモータ(16)側に延出し、係合部(29b)が設けられた第１延出部(29a)と、
前記凝縮器(15)における開口部(27)に近接する他側部に設けられてファンモータ(16)側に延出する第２延出部(30a)と、
前記シュラウド(34)における前記凝縮器(15)の第１延出部(29a)に対向する一側部に設けられ、前記係合部(29b)に開口部(27)側から係脱自在に係合する被係合部(41a)と、
前記シュラウド(34)における前記凝縮器(15)の第２延出部(30a)に対向する他側部に設けられ、該第２延出部(30a)に固定手段(43)を介して着脱自在に固定される固定部(42)とを備え、
前記機械室(13)に設置されて前記凝縮器(15)が載置されるユニットベース(28)に係止手段(45)が形成されると共に、該係止手段(45)に係脱自在に係止する被係止手段(44)が前記シュラウド(34)における両フランジ部(41,42)間に形成される
ことを特徴とする冷却機構を備えた装置。
【請求項２】
前記凝縮器(15)の第１延出部(29a)に、前記係合部としての抜き孔(29b)が上下に離間して複数形成されると共に、前記第２延出部(30a)にネジ孔(30b)が形成され、
前記シュラウド(34)の一側部に設けられて凝縮器(15)側に延出する第１フランジ部(41)に、前記各抜き孔(29b)に挿脱自在な前記被係合部としての突片(41a)が突設されると共に、シュラウド(34)の他側部に設けられて凝縮器(15)側に延出する前記固定部として第２フランジ部(42)に通孔(42a)が形成され、
前記シュラウド(34)は、前記第１延出部(29a)の抜き孔(29b)に突片(41a)を挿入して第１フランジ部(41)が第１延出部(29a)に当接した状態で、前記第２フランジ部(42)の通孔(42a)に挿通した前記固定手段としてのネジ(43)を第２延出部(30a)のネジ孔(30b)に螺挿することで前記凝縮器(15)に位置決め固定される請求項１記載の冷却機構を備えた装置。
【発明の詳細な説明】
【技術分野】
【０００１】
この発明は、冷却機構を備えた装置に関するものである。
【背景技術】
【０００２】
食品や飲料品等の物品を冷蔵保存する冷却機構を備えた装置である冷蔵ショーケースとしては、例えば寿司屋等のカウンタに設置され、収納した寿司ネタ等の生鮮食材を展示しながら冷蔵保存するネタケースと呼ばれるものがある(例えば、特許文献１参照)。一般に冷蔵ショーケースは、物品を冷蔵保存する収納室と、この収納室を冷却するための冷却機構が配設される機械室とを備えている。
【０００３】
前記冷蔵ショーケースは、収納室における左右何れか一方の側部に隣り合って機械室が画成され、該機械室には、冷却機構を構成する圧縮機、ファンモータ(モータを備えたファン)、凝縮器等の構成機器が、前側から圧縮機、ファンモータおよび凝縮器の順序で並べられている。そして、圧縮機および凝縮器の間にあるファンモータが作動することで、外部から機械室に取り込んだ空気が圧縮機および凝縮器に当たって冷却されるよう構成される。
【０００４】
前記ファンモータは、前記凝縮器とファンモータとの間の風路を画成するためのシュラウドに配設されて、該シュラウドを凝縮器に複数のネジを介して着脱自在に固定することで、当該ファンモータが凝縮器に対して適正位置に配設されるよう構成される。
【先行技術文献】
【特許文献】
【０００５】
【特許文献１】特開２００３−１２１０５４号公報
【発明の概要】
【発明が解決しようとする課題】
【０００６】
前記冷蔵ショーケースでは、近年は意匠性およびフロント部分の清掃性の観点から、前記収納室に収納した物品を視認可能な前面パネルを機械室の前面まで延ばしたものが採用されている。この場合において、冷却機構のメンテナンスに際しては前面パネルを取り外すのが煩わしいため、機械室の側面を覆う側面パネルを取り外すことで、冷却機構を側部からメンテナンスすることが行なわれる。しかるに、冷却機構のメンテナンスに際し、前記ファンモータを取り外す必要がある場合は、凝縮器とシュラウドとを固定している複数のネジを取り外す必要があり、メンテナンス性に劣るものであった。しかも、前後寸法を大きく確保し得ないネタケース等の冷蔵ショーケースにおいては、凝縮器と圧縮機との間の狭い空間にファンモータが配置されていることから、凝縮器とシュラウドとを固定している収納室側に位置するネジの取り外しや取り付けに際し、機械室の側部開口から機械室内に手を差し込むことが困難であり、ファンモータのメンテナンスは極めて煩雑となっていた。
【０００７】
本発明は、従来の技術に内在する前記課題に鑑み、これらを好適に解決するべく提案されたものであって、ファンモータのメンテナンスが容易な冷却機構を備えた装置を提供することを目的とする。
【課題を解決するための手段】
【０００８】
前記課題を克服し、所期の目的を達成するため、本願の請求項１に係る発明の冷却機構を備えた装置は、
凝縮器および該凝縮器にシュラウドを介して着脱自在に配設されるファンモータを備える冷却機構が機械室に収容され、前記凝縮器とファンモータとの並び方向と交差する側方に開口する開口部を介してシュラウドと共にファンモータを機械室に出し入れ可能に構成される冷却機構を備えた装置において、
前記凝縮器における開口部から離間する一側部に設けられてファンモータ側に延出し、係合部が設けられた第１延出部と、
前記凝縮器における開口部に近接する他側部に設けられてファンモータ側に延出する第２延出部と、
前記シュラウドにおける前記凝縮器の第１延出部に対向する一側部に設けられ、前記係合部に開口部側から係脱自在に係合する被係合部と、
前記シュラウドにおける前記凝縮器の第２延出部に対向する他側部に設けられ、該第２延出部に固定手段を介して着脱自在に固定される固定部とを備え、
前記機械室に設置されて前記凝縮器が載置されるユニットベースに係止手段が形成されると共に、該係止手段に係脱自在に係止する被係止手段が前記シュラウドにおける両フランジ部間に形成されることを特徴とする。
【０００９】
請求項１に係る発明によれば、開口部側に位置する固定部を固定手段で固定したり固定解除するだけで、ファンモータの凝縮器に対する取り付けおよび取り外しを開口部側から簡単に行なうことができ、また両フランジ部間でシュラウドをユニットベースに位置決めし得るから、凝縮器に対するファンモータの確実な位置決めをなし得る。
【００１０】
請求項２に記載の発明では、前記凝縮器の第１延出部に、前記係合部としての抜き孔が上下に離間して複数形成されると共に、前記第２延出部にネジ孔が形成され、
前記シュラウドの一側部に設けられて凝縮器側に延出する第１フランジ部に、前記各抜き孔に挿脱自在な前記被係合部としての突片が突設されると共に、シュラウドの他側部に設けられて凝縮器側に延出する前記固定部として第２フランジ部に通孔が形成され、
前記シュラウドは、前記第１延出部の抜き孔に突片を挿入して第１フランジ部が第１延出部に当接した状態で、前記第２フランジ部の通孔に挿通した前記固定手段としてのネジを第２延出部のネジ孔に螺挿することで前記凝縮器に位置決め固定されることを要旨とする。
請求項２に係る発明によれば、固定手段であるネジの使用を少なくして、メンテナンス時のファンモータの組み付けに係る部品数や手間を削減し得る。
【発明の効果】
【００１２】
本発明に係る冷却機構を備えた装置によれば、冷却機構を構成するファンモータの凝縮器に対する取り付け・取り外しを容易化し得る。
【図面の簡単な説明】
【００１３】
【図１】実施例に係る冷蔵ショーケースを一部分解して示す概略斜視図である。
【図２】実施例に係る冷蔵ショーケースを機械室で縦断して示す側面図である。
【図３】実施例に係る冷蔵ショーケースの機械室からシュラウドに配設されたファンモータを取り出した状態を示す概略斜視図である。
【図４】実施例に係る凝縮器を示すものであって、(ａ)は平面図、(ｂ)は左側面図、(ｃ)は右側面図である。
【図５】実施例に係るシュラウドを示す概略斜視図である。
【図６】実施例に係るシュラウドとファンモータとを分解した状態で示す概略斜視図である。
【図７】実施例に係るシュラウドとユニットベースとの係止箇所を示す要部縦断側面図である。
【図８】実施例に係るシュラウドと外装パネルとの支持箇所を示す要部縦断側面図である。
【発明を実施するための形態】
【００１４】
次に、本発明に係る冷却機構を備えた装置につき、好適な実施例を挙げて、添付図面を参照しながら以下説明する。なお、実施例では冷却機構を備えた装置としてネタケース等の冷蔵ショーケースを挙げる。また、明細書中の説明において「前後」「左右」とは、冷蔵ショーケースを正面側から視た状態で指称する。
【実施例】
【００１５】
図１または図２に示す如く、実施例の冷蔵ショーケース１０は、ケース(筐体)内部に、物品を冷蔵保存する収納室１１と、該収納室１１の一側部(長手方向の一側部)に仕切壁１２を介して隣り合う機械室１３とが画成され、該機械室１３に、収納室１１を冷却するための圧縮機１４、凝縮器１５、ファンモータ１６等の冷却機構１７の構成機器が収容配置される。収納室１１および機械室１３の前部から上部に亘り透明なフロントガラス１８が嵌め込まれ、収納室１１の内部が前側から見えるようになっている。なお、フロントガラス１８における機械室１３に対応する部分には、機械室内を視認不能とする処理が施されている。また、冷蔵ショーケース１０の後側には、収納室１１に対する物品の出し入れを許容する物品出入口１９が開設され、該物品出入口１９は図示しないスライド扉により開閉されるよう構成される。また、前記収納室１１の内部には、前記冷却機構１７から冷媒が循環供給される冷却器等が配設され、該冷却器に循環供給される冷媒によって収納室１１を冷却するよう構成される。
【００１６】
前記機械室１３は、図１または図２に示す如く、冷蔵ショーケース１０の基部となる底部２０および構造部材として側壁を構成するサイドフレーム２１と天井壁を構成するトップフレーム２２とから骨格が形成されており、該機械室１３の内部に冷却機構１７の構成機器が収容・取付固定されるようになっている。前記サイドフレーム２１は、底部２０の側端縁にネジ止め等して立設され、トップフレーム２２は、その両端部を前記仕切壁１２の上端部およびサイドフレーム２１の上端部にネジ止め固定されて、該仕切壁１２およびサイドフレーム２１の間に架設されている。また、前記仕切壁１２、底部２０、サイドフレーム２１およびトップフレーム２２には、サイドパネル２３、外装パネル２４、ルーバ２５、トップカバー２６および前記フロントガラス１８の側部が着脱自在に配設されて機械室１３を画成するようになっており、サイドパネル２３を取り外すことで、機械室１３の側方に側部開口部(開口部)２７が開放し、該側部開口部２７を介して冷却機構１７のメンテナンスを行ない得るよう構成される。なお、トップカバー２６は、機械室１３の上部および収納室１１の上部の双方に対して配設されている。また、サイドフレーム２１およびトップフレーム２２は、サイドフレーム２１の上端部にトップフレーム２２をネジ止め固定した状態で、一体的に取り外しおよび取り付けが行なわれる。
【００１７】
図１または図２に示す如く、前記機械室１３の後方を画成するルーバ２５には、前後方向に貫通して空気を吸い込むスリット２５ａが多数形成されている。また、機械室１３の側方を画成するサイドパネル２３には、左右方向に貫通して空気を排出するスリット２３ａが多数形成されている。
【００１８】
前記機械室１３内の底部２０の上には、冷却機構１７の構成機器である凝縮器１５、ファンモータ１６、圧縮機１４等が、該底部２０に敷設されるユニットベース２８を介して載置・固定されている。ユニットベース２８には、図２に示す如く、圧縮機１４、ファンモータ１６、凝縮器１５がこの順序で前側から配置されて、ファンモータ１６を駆動することで、前記ルーバ２５のスリット２５ａから吸い込んだ外部空気を凝縮器１５および圧縮機１４に接触して冷却し、熱交換後の空気を前記サイドパネル２３のスリット２３ａから排出するよう構成される。
【００１９】
前記凝縮器１５は、左右両側に配設された一対のエンドプレート２９,３０を介して前記ユニットベース２８に位置決め固定されている。両エンドプレート２９,３０は、ファンモータ１６が配設される前面側に所定長さで延出する延出部２９ａ,３０ａを備えている(図４(ａ)参照)。前記収納室側(側部開口部２７から離間する側)に位置する第１エンドプレート２９の第１延出部２９ａには、図４(ｃ)に示す如く、左右方向に貫通する係合部としての抜き孔２９ｂが上下方向に離間して複数(実施例では２つ)形成されている。また収納室１１から離間する側(側部開口部２７に近接する側)に位置する第２エンドプレート３０の第２延出部３０ａには、図４(ｂ)に示す如く、上下方向の中間位置に左右方向に貫通するネジ孔３０ｂが形成される。
【００２０】
前記ファンモータ１６は、図２,図３または図６に示す如く、複数の羽根を備えるファン３１と、該ファン３１を回転駆動するモータ３２とを取付枠３３に配設して構成され、前記凝縮器１５とファンモータ１６との間の風路を画成するためのシュラウド３４に予め着脱自在に固定された状態で、凝縮器１５の前面側に着脱自在に取付固定される。取付枠３３は、風路を形成する開口部３３ａを中央に形成した矩形枠状の部材であって、該取付枠３３の４隅には、シュラウド３４に向けて突出するボス３５,３６が夫々設けられている。また４つのボス３５,３６の内、一方の対角に位置する２つのボス３５,３５には突出端側に開口するネジ孔３５ａが設けられている。以後、ネジ孔３５ａが形成されるボス３５を固定用ボスと指称すると共に、ネジ孔が形成されていないボス３６を非固定用ボスと指称するものとする。なお、取付枠３３の開口部３３ａは、前記ファン３１の直径より大きく設定されると共に、取付枠３３に対してファン３１およびモータ３２は開口部３３ａの中心に回転軸を整列して配設される。
【００２１】
前記シュラウド３４は、凝縮器１５の前面部を略覆い得る矩形状に形成された本体板３７の中央部に、ファンモータ１６を囲繞可能な内部寸法に設定された略円形の開口部３７ａが形成される。また本体板３７には、図５または図６に示す如く、開口部３７ａを囲む位置であって、前記取付枠３３における各固定用ボス３５と対応する位置にネジ用通孔３７ｂが夫々形成されると共に、取付枠３３における各非固定用ボス３６と対応する位置に大径通孔３７ｃが夫々形成されている。そして、各固定用ボス３５のネジ孔３５ａをネジ用通孔３７ｂに整列するよう取付枠３３を本体板３７の前面に位置決めした状態で、各ネジ用通孔３７ｂに後側から挿通したネジ３８をネジ孔３５ａに螺挿することで、取付枠３３が本体板３７に位置決め固定される。なお、前記大径通孔３７ｃの内径は、非固定用ボス３６の外径より大きく設定されており、取付枠３３を本体板３７に固定した状態で非固定用ボス３６が本体板３７に接触しないよう構成される。すなわち、本体板３７に対して取付枠３３は、一方の対角に位置する２つの固定用ボス３５,３５を介して固定されて、取付枠３３は、一対の固定用ボス３５,３５を通る一方の対角線を軸として他方の対角側が前後方向(本体板３７に対する近接・離間方向)へ揺動するのが許容されるよう構成してある。また本体板３７と取付枠３３とは、一対の固定用ボス３５,３５のみが接触し、取付枠３３の本体と本体板３７との間に固定用ボス３５,３５の突出寸法の空間Ｓが画成される。そして、この空間Ｓの前後寸法は、取付枠３３が一方の対角線を軸として他方の対角側が前後方向へ揺動する際の揺動量が、前記固定用ボス３５,３５の本体板３７との固定部分が破損しない範囲では、該取付枠３３の本体における他方の対角側が本体板３７に接触しない値に設定される。更に具体的には、固定用ボス３５,３５の本体板３７との固定部分が破損する直前に、揺動する取付枠３３の本体や非固定用ボス３６,３６が本体板３７や大径通孔３７ｃの内縁に接触することでそれ以上の揺動を規制して、固定部分の破損を防止するよう設定される。
【００２２】
前記シュラウド３４における本体板３７の上端縁には、後方(凝縮器側)を指向して略直角に屈曲された庇部３９を備え、該庇部３９は、図２に示す如く、凝縮器１５の上部を覆って後方に所定長さで延出し、凝縮器１５の上部を前側から後側へ空気がショートサイクルするのを防止するべく機能する。また庇部３９の後端縁(延出端縁)には、上方に向けて略直角に屈曲された第１屈曲部４０ａおよび該第１屈曲部４０ａの上端縁から後方に向けて略水平に屈曲された第２屈曲部４０ｂとから略Ｌ字形に形成される支持部４０が設けられ、該支持部４０によって前記外装パネル２４を下方から支持するよう構成される(図８参照)。更に、本体板３７の左右両端縁には、後方(凝縮器側)に指向して略直角に屈曲されたフランジ部４１,４２が設けられている(図５参照)。実施例では、収納室側に位置する一方のフランジ部４１を第１フランジ部と指称し、側部開口部側に位置する他方のフランジ部(固定部)４２を第２フランジ部(固定部)と指称する。
【００２３】
図５に示す如く、前記第１フランジ部４１には、前記凝縮器１５における前記第１エンドプレート２９の各抜き孔２９ｂと対応する位置の夫々に、外側方に向けて突出して抜き孔２９ｂに側方から挿脱自在な被係合部として突片４１ａが設けられている。また第２フランジ部４２には、凝縮器１５における前記第２エンドプレート３０のネジ孔３０ｂに対応する位置に、固定手段としてのネジ４３の軸部が挿通可能な通孔４２ａが左右方向に貫設されている。そして、前記シュラウド３４に固定されたファンモータ１６は、第１フランジ部４１の各突片４１ａを第１延出部２９ａの対応する抜き孔２９ｂに側方から夫々挿入して該第１フランジ部４１が第１延出部２９ａに対向当接した状態で、第２延出部３０ａの外側(側部開口部側)に臨む第２フランジ部４２の通孔４２ａに側方から挿通したネジ４３を第２延出部３０ａのネジ孔３０ｂに螺挿することで凝縮器１５に取付固定される。
【００２４】
前記シュラウド３４における本体板３７の左右幅方向の中央には、前記開口部３７ａの下方位置に、前後方向に貫通する位置決め孔(被係止手段)４４が形成されている。また前記ユニットベース２８には、図７に示す如く、前記位置決め孔４４に係脱自在に係止する位置決め片(係止手段)４５が形成されている。この位置決め片４５は、例えばユニットベース２８を切り起こして、その先端部を前側に向けて略直角に屈曲したものであって、該屈曲片４５ａが位置決め孔４４に挿入されることで係止するよう構成される。
【００２５】
前記位置決め片４５は、凝縮器１５に対して前記突片４１ａおよびネジ４３を介してシュラウド３４を固定した際に、無負加状態で前記本体板３７における位置決め孔４４の形成位置が臨む位置より前方(凝縮器１５から離間する側)に位置するよう設定される。すなわち、本体板３７の後面側(凝縮器側)から屈曲片４５ａを位置決め孔４４に挿入することで位置決め片４５が本体板３７の後面に当接する状態では、本体板３７の下部中間位置が凝縮器１５から離間する側に変位して該本体板３７が張った状態に保持されるようになっている。
【００２６】
前記トップフレーム２２の下面後端には、前記機械室１３の後方を画成するルーバ２５により閉成される後部開口部４６の上部を画成する前記外装パネル２４が配設されている。外装パネル２４は、図２に示す如く、トップフレーム２２に対する取付部として機能する水平部２４ａと、該水平部２４ａの後端縁から下方に向けて略直角に屈曲した垂直部２４ｂとを備え、該垂直部２４ｂには、前後方向に貫通する取付孔が形成されている。そして、垂直部２４ｂには、フランジが垂直部２４ｂの外面に当接するまで本体部を取付孔に後側(外側)から嵌挿した電源スイッチ４７が取り付けられ、該電源スイッチ４７は、トップフレーム２２の下面に配設された電装箱に接続されている。電源スイッチ４７における外部後方に露出する操作ボタン４７ａ、シーソー式のものであって、後方から操作ボタン４７ａを押して左右に傾動させることでＯＮ状態とＯＦＦ状態とに切換えられるよう構成される。
【００２７】
前記外装パネル２４における垂直部２４ｂの下端縁には、図８に示す如く、前後方向に略水平に延在する水平板部２４ｃが設けられると共に、該水平板部２４ｃの後端縁には下方に向けて屈曲されたガイド部２４ｄが設けられている。そして、前記水平板部２４ｃが、前記シュラウド３４における支持部４０の第２屈曲部４０ｂの上面に上側から当接すると共に、該第２屈曲部４０ｂの延出端(後端)がガイド部２４ｄに前側(内側)から当接した状態で、外装パネル２４における垂直部２４ｂの下端部が位置決めされる。なお、ガイド部２４ｄと支持部４０の第１屈曲部４０ａとの間には下方に開口するガイド溝４８が形成され、該ガイド溝４８に前記ルーバ２５の上端部が挿脱自在に挿入されるようになっている。
【００２８】
前記機械室１３の後部開口部４６には、前記ルーバ２５が着脱自在に取り付けられるよう構成される。ルーバ２５の上端部には、前記外装パネル２４とシュラウド３４とにより画成される前記ガイド溝４８に挿入可能な上部挿入部２５ｂが設けられる。また、ルーバ２５の下端部には、前記機械室１３を画成する底部２０の後端縁に上方に向けて屈曲されて後部開口部４６の下端部を画成する画成部２０ａに係脱自在に係合する下部係合部２５ｃが設けられている。すなわち、上部挿入部２５ｂをガイド溝４８に挿入した状態で、下部係合部２５ｃを画成部２０ａに係合することで、ルーバ２５が後部開口部４６を閉成する状態で取り付けられる。
【００２９】
〔実施例の作用〕
次に、前述した実施例に係る冷蔵ショーケースの作用につき説明する。
前記冷却機構１７のメンテナンスに際して前記ファンモータ１６を機械室１３から取り出す場合は、冷蔵ショーケース１０からトップカバー２６およびサイドパネル２３を取り外し、サイドフレーム２１の底部２０に対する固定を解除すると共にトップフレーム２２の仕切壁１２に対する固定を解除することで両フレーム２１,２２を一体的に取り外す。サイドパネル２３およびサイドフレーム２１を取り外すことで、機械室１３の側方には側部開口部２７が開口する(図１参照)。側部開口部２７が開口することで、前記凝縮器１５にシュラウド３４を固定している前記ネジ４３が側部開口部側に露出する。従って、該ネジ４３を弛み外して凝縮器１５の第２延出部３０ａとシュラウド３４の第２フランジ部４２との固定を解除した後、該シュラウド３４を側部開口部側に移動することで、シュラウド３４の第１フランジ部４１における各突片４１ａが凝縮器１５の第１延出部２９ａにおける対応する抜き孔２９ｂから引き抜かれ、該シュラウド３４はファンモータ１６と共に側部開口部２７から機械室外方に取り出される(図３参照)。なお、前記突片４１ａを抜き孔２９ｂから引き抜く際には、シュラウド３４の位置決め孔４４から位置決め片４５の屈曲片４５ａを抜くように、該シュラウド３４を若干斜め前側に傾斜させた状態で行なう。
【００３０】
次に、前記ファンモータ１６が取り付けられたシュラウド３４を機械室内の凝縮器１５に取付固定する場合は、前記側部開口部２７からシュラウド３４を第１フランジ部４１が奥側を向く姿勢で機械室１３に挿入する。このとき、前記本体板３７がユニットベース２８の位置決め片４５より前側に臨むように若干斜めの姿勢で挿入し、第１フランジ部４１の各突片４１ａを第１延出部２９ａの対応する抜き孔２９ｂに側方から挿入する。このとき、前記位置決め片４５の屈曲片４５ａも本体板３７の位置決め孔４４に後側から挿入される。そして、第１延出部２９ａにおける側部開口部側の面に第１フランジ部４１が側方から当接すると共に、屈曲片４５ａが位置決め孔４４に挿入された位置決め片４５が本体板３７の後面に当接した状態(図７参照)で、前記第２延出部３０ａの外側方に臨む第２フランジ部４２の通孔４２ａに外側から挿通したネジ４３を第２延出部３０ａのネジ孔３０ｂに螺挿することで、シュラウド３４が凝縮器１５に取付固定される。
【００３１】
前述したように、前記機械室１３に設置した凝縮器１５に対するファンモータ１６の取り外しおよび取り付けは、側部開口部側に露出する１本のネジ４３によるシュラウド３４と凝縮器１５との固定を解除した状態で、ファンモータ１６をシュラウド３４と共に機械室１３の側部開口部２７から引き抜いたり挿入するだけでよく、メンテナンス性が向上する。すなわち、凝縮器１５と圧縮機１４との間の隙間が小さく、側部開口部２７から奥側(収納室側)に手を差し込むことが困難であっても、凝縮器１５に対するファンモータ１６(シュラウド３４)の取り外しおよび取り付けを容易に行ない得る。しかも、凝縮器１５とシュラウド３４との固定は、側部開口部側に露出する１本のネジ４３で行ない得るから、固定に関する部品点数は少なく、コストも低廉に抑えることができる。更に、シュラウド３４は側部開口部側でネジ４３を介して凝縮器１５に固定されるだけであるが、前記ユニットベース２８の位置決め片４５が本体板３７に後側から当接することで、該本体板３７における凝縮器１５の両延出部２９ａ,３０ａに支持される両フランジ部４１,４２の中間部分が前側に張った状態に保持されるから、該シュラウド３４は安定的に保持される。
【００３２】
前記サイドフレーム２１の上端部にトップフレーム２２が取り付けられている状態で、該サイドフレーム２１の下端部を底部２０に取り付けると共にトップフレーム２２の延出端部を仕切壁１２の上端部に取り付ける。このとき、トップフレーム２２に配設されている前記外装パネル２４の水平板部２４ｃが、図８に示す如く、前記シュラウド３４の庇部３９における支持部４０の第２屈曲部４０ｂに上方から当接して支持される。また、第２屈曲部４０ｂの後端が外装パネル２４のガイド部２４ｄの内面に前側から当接することで、外装パネル２４の垂直部２４ｂの位置決めがなされる。
【００３３】
このように前記シュラウド３４の支持部４０で外装パネル２４を支持するよう構成したから、該外装パネル２４に配設されている前記電源スイッチ４７の操作ボタン４７ａを押圧操作する際には、その力をガイド部２４ｄの内面に当接する第２屈曲部４０ｂを介してシュラウド３４で支持できる。すなわち、電源スイッチ４７の操作ボタン４７ａを操作する際に加わる力に耐えるために外装パネル２４自体の強度を必要以上に高く設定する必要はなく、外装パネル２４として厚みの大きな板金を用いることなく樹脂製品で対応することが可能となり、コストを低廉に抑えることができる。なお、シュラウド３４の支持部４０は、前記ルーバ２５から吸い込まれる空気の流路に臨んでいるから該支持部４０が凝縮器１５の熱によって高温となることはなく、電源スイッチ４７への熱影響は抑えられる。
【００３４】
前記底部２０および外装パネル２４との間に画成される後部開口部４６は、底部２０および外装パネル２４間に取り付けられるルーバ２５で閉成される。ルーバ２５については、図８に示す如く、上部挿入部２５ｂを外装パネル２４におけるガイド部２４ｄとシュラウド３４の第１屈曲部４０ａとの間に画成されているガイド溝４８に下方から挿入すると共に、該ルーバ２５の下部係合部２５ｃを底部２０の画成部２０ａに係合することで取り付けられる。
【００３５】
前記ルーバ２５の上部挿入部２５ｂを挿入するガイド溝４８を、凝縮器１５の上部における空気のショートサイクルを防止するためのシュラウド３４の庇部３９を利用して形成したから、ガイド溝４８を設ける専用の部材を省略することができる。また、ショートサイク防止用の庇部３９によって形成されるガイド溝４８に上部挿入部２５ｂを挿入することで、該ルーバ２５は凝縮器１５の空気吸込側に適正に位置決めされる。
【００３６】
前記冷蔵ショーケース１０を運搬等する際には、特に前記圧縮機１４とファンモータ１６との隙間が小さいものにおいては、運搬時に雑な取り扱いをされたときに加わる振動等によって圧縮機１４がファンモータ１６に接触することがある。この場合において、実施例のファンモータ１６は、前記取付枠３３がシュラウド３４に対して一方の対角に位置する２箇所の固定用ボス３５がネジ止め固定されて、シュラウド３４の本体板３７と取付枠３３の本体(固定用ボス３５以外の部分)とは離間しているので、取付枠３３は一方の対角線を軸にして他方の対角側が前後に揺動するのは許容される。従って、圧縮機１４がファンモータ１６に接触した際には、取付枠３３が揺動することで衝撃力を緩和(逃す)ことができ、ファンモータ１６に過大な力が加わることなく損傷等を防止し得る。また、取付枠３３の固定用ボス３５,３５を一方の対角に位置する隅部に設けてあるから、両固定用ボス３５,３５の離間間隔を大きくとることができ、ファンモータ１６に衝撃が加わった際に取付枠３３が容易に揺動して衝撃力の緩和を好適に達成し得る。しかも、固定用ボス３５,３５の本体板３７との固定部分が破損する直前に、取付枠３３の本体や非固定用ボス３６,３６が本体板３７や大径通孔３７ｃの内縁に接触して揺動が規制されることで、固定部分が破損するのは防止される。
【００３７】
〔変更例〕
本願は前述した実施例の構成に限定されるものではなく、その他の構成を適宜に採用することができる。
１．実施例では凝縮器の第１延出部に抜き孔を設けると共に、シュラウドの第１フランジ部に突片を設けたが、第１延出部に突片を設けると共に、第１フランジ部に抜き孔を設ける構成であってもよい。
２．第１延出部に設ける係合部と第１フランジ部に設ける被係合部は、抜き孔と突片に限らず、側方から係脱自在であれば、凸部と凹部等、その他の構成を採用可能である。
３．第１延出部および第１フランジ部に設ける係合部および被係合部の数は実施例の２つに限らず、１つあるいは３つ以上であってもよく、係合部と被係合部との係合によりシュラウドを位置決めし得るものであればよい。
４．実施例では、シュラウドの固定部を凝縮器の第２延出部にネジによって着脱自在に固定するよう構成したが、固定部を第２延出部に着脱自在に固定する固定手段は、ネジに代えて嵌合式のピン等、その他公知の手段を採用することができ、着脱操作するための操作部が開口部側から操作可能なものであればよい。
５．実施例ではシュラウドに位置決め孔を設けると共に、ユニットベースに位置決め片を設けたが、シュラウドに設けた位置決め片をユニットベースに設けた位置決め孔に差込み係止する構成であってもよい。また、シュラウドに設ける係止手段とユニットベースに設ける被係止手段は、位置決め孔と位置決め片に限らず、係脱自在で係止された際にシュラウドの中間部を張った状態に保持し得るものであれば、凸部と凹部等、その他の構成を採用可能である。
６．実施例では機械室の側方に設けた開口部からファンモータを挿脱自在に構成したが、凝縮器とファンモータとの並び方向との交差方向に開口する開口部を介してファンモータを挿脱し得るものであればよい。例えば、機械室に対して凝縮器とファンモータとが左右方向に並んで配設される構成であれば、機械室の前側または後側に開口する開口部を介してファンモータを挿脱し得るようにすればよい。
７．実施例では取付枠に設けた非固定用ボスに対応してシュラウドに設けた大径通孔の内径を非固定用ボスの外径より大きくすることで、該非固定用ボスがシュラウドに接触しないよう構成したが、非固定用ボスを短かくしたり省略する構成であってもよく、その場合は大径通孔を設ける必要もない。
８．実施例では取付枠の一方の対角線上に一対の固定用ボスを設けたが、一対の固定用ボスの配設位置は、対角線上に限らず、開口部を挟んで該開口部を縦断または横断する線上の位置等、取付枠の中央を通る線上において開口部を挟んで離間する位置であればよい。
９．実施例では外装パネルに電源スイッチが配設される構成としたが、外装パネルに照明用のスイッチやブレーカ等の各種のスイッチが配設されるものであってもよい。
１０．実施例では、冷却機構を備える装置として冷蔵ショーケースを挙げたが、機械室に冷却機構を備える冷蔵庫や製氷機等であってもよい。
【符号の説明】
【００３８】
１３ 機械室，１５ 凝縮器，１６ ファンモータ，１７ 冷却機構
２７ 側部開口部(開口部)，２８ ユニットベース，２９ａ 第１延出部
２９ｂ 抜き孔(係合部)，３０ａ 第２延出部，３０ｂ ネジ孔，３４ シュラウド
４１ 第１フランジ部，４１ａ 突片(被係合部)，４２ 第２フランジ部(固定部)
４２ａ 通孔，４３ ネジ(固定手段)，４４ 位置決め孔(被係止手段)
４５ 位置決め片(係止手段)
【図１】
0005603584.tif 000002
【図２】
0005603584.tif 000003
【図３】
0005603584.tif 000004
【図４】
0005603584.tif 000005
【図５】
0005603584.tif 000006
【図６】
0005603584.tif 000007
【図７】
0005603584.tif 000008
【図８】
0005603584.tif 000009